(57)【要約】【課題】軽量化、薄型化でき、製造も容易であり、安価に提供でき、かつ、良好な映像を表示できる反射スクリーン、映像表示システムを提供する。【解決手段】反射スクリーン１０は、背面側の面に、単位レンズ１３１が複数配列されたレンズ層１３と、単位レンズ１３１のレンズ面１３２に形成され、光を反射する反射層１２と、レンズ層１３及び反射層１２よりも背面側に形成され、反射層１２が形成されたレンズ層の背面側の面を被覆する保護層１１とを備え、保護層１１は、粘着性を有し、反射スクリーン１０の背面側に位置する部材に対して貼合可能であるものとした。【選択図】図２
2014160198.tif 000002
【特許請求の範囲】
【請求項１】
映像源から投射される映像光を反射させて観察可能に表示する反射スクリーンにおいて、
背面側の面に、単位光学要素が複数配列された光学形状層と、
前記単位光学要素の背面側の面の少なくとも一部に形成され、光を反射する反射層と、
前記光学形状層及び前記反射層よりも背面側に形成され、前記反射層が形成された前記光学形状層の背面側の面を被覆する保護層と、
を備え、
前記保護層は、粘着性を有し、該反射スクリーンの背面側に位置する部材に対して貼合可能であること、
を特徴とする反射スクリーン。
【請求項２】
請求項１に記載の反射スクリーンにおいて、
前記保護層は、少なくとも、酸化防止機能、防湿機能、紫外線吸収機能、光吸収機能のいずれか１つを有すること、
を特徴とする反射スクリーン。
【請求項３】
請求項１又は請求項２に記載の反射スクリーンにおいて、
前記単位光学要素は、レンズ面と非レンズ面とを備え、背面側に凸となる単位レンズであること、
を特徴とする反射スクリーン。
【請求項４】
請求項１から請求項３までのいずれか１項に記載の反射スクリーンと、
前記反射スクリーンに映像光を投射する映像源と、
を備える映像表示システム。
【発明の詳細な説明】
【技術分野】
【０００１】
本発明は、投射された映像光を反射して表示する反射スクリーン、映像表示システムに関するものである。
【背景技術】
【０００２】
従来、様々な構成を有する反射スクリーンが開発され、映像表示システムに用いられている。近年では、反射スクリーンに対して至近距離から比較的大きな入射角度で映像光を投写して大画面表示を実現する短焦点型の映像投射装置（プロジェクタ）等が広く利用されており、このような短焦点型の映像投射装置によって投射された映像光を良好に表示するための反射スクリーン等も開発されている。
【０００３】
短焦点型の映像投射装置は、反射スクリーンに対して、上方又は下方から従来の映像源よりも大きな入射角度となる映像光を投射することができ、映像投射装置と反射スクリーンとの奥行き方向の距離を短くすることができるので、反射スクリーンを用いた映像表示システムの省スペース化等に寄与できる。
そして、このような短焦点型の映像投射装置によって投射された映像光を良好に表示するために、単位レンズが複数配列されて形成されたリニアフレネルレンズ形状やサーキュラーフレネルレンズ形状を有するレンズ層の表面に反射層を形成した反射スクリーンや、表面に複数の半球状の凹部が形成された反射スクリーン等が様々に開発されている（例えば、特許文献１，２）。
【先行技術文献】
【特許文献】
【０００４】
【特許文献１】特開２００８−７６５２３号公報
【特許文献２】特開２０１１−１３３６０８号公報
【発明の概要】
【発明が解決しようとする課題】
【０００５】
上述のような反射スクリーンでは、映像光を反射する反射層として、アルミニウムや銀等の反射性の高い金属を用いて蒸着法やスパッタ法等により形成される金属の薄膜による反射層を用いる場合がある。このような反射層は、傷つき易く、また、酸化しやすいために、この反射層を保護する保護層を設けた反射スクリーンも開発されている（例えば、特許文献２）。
また、一般的に、反射スクリーンは、それ自体で平面性を維持できるほど剛性を有していない場合が多い。そのため、反射スクリーンの最も背面側に設けられた接着剤層や粘着剤層により、十分な剛性を有する支持板等に貼合する等して、その平面性を維持しているものが多い。
【０００６】
しかし、各種効果を期待して、保護層や粘着剤層等を設けることにより、反射スクリーン自体の層構成が複雑となり、また、生産コストの増大を招くという問題がある。安価でかつ良好な映像を表示できる反射スクリーンとすること、さらには、反射スクリーン等の軽量化・薄型化は、常に求められることである。
上述の特許文献１，２には、上述のような課題への対策は開示されていない。
【０００７】
本発明の課題は、軽量化、薄型化でき、製造も容易であり、安価に提供でき、かつ、良好な映像を表示できる反射スクリーン、映像表示システムを提供することである。
【課題を解決するための手段】
【０００８】
本発明は、以下のような解決手段により、前記課題を解決する。なお、理解を容易にするために、本発明の実施形態に対応する符号を付して説明するが、これに限定されるものではない。
請求項１の発明は、映像源から投射される映像光を反射させて観察可能に表示する反射スクリーンにおいて、背面側の面に、単位光学要素（１３１）が複数配列された光学形状層（１３）と、前記単位光学要素の背面側の面の少なくとも一部に形成され、光を反射する反射層（１２）と、前記光学形状層及び前記反射層よりも背面側に形成され、前記反射層が形成された前記光学形状層の背面側の面を被覆する保護層（１１）と、を備え、前記保護層は、粘着性を有し、該反射スクリーンの背面側に位置する部材に対して貼合可能であること、を特徴とする反射スクリーン（１０）である。
請求項２の発明は、請求項１に記載の反射スクリーンにおいて、前記保護層（１１）は、少なくとも、酸化防止機能、防湿機能、紫外線吸収機能、光吸収機能のいずれか１つを有すること、を特徴とする反射スクリーン（１０）である。
請求項３の発明は、請求項１又は請求項２に記載の反射スクリーンにおいて、前記単位光学要素は、レンズ面（１３２）と非レンズ面（１３３）とを備え、背面側に凸となる単位レンズ（１３１）であること、を特徴とする反射スクリーン（１０）である。
請求項４の発明は、請求項１から請求項３までのいずれか１項に記載の反射スクリーンと（１０）、前記反射スクリーンに映像光を投射する映像源（ＬＳ）と、を備える映像表示システム（１）である。
【発明の効果】
【０００９】
本発明によれば、軽量化、薄型化でき、製造も容易であり、安価に提供でき、かつ、良好な映像を表示できる反射スクリーン、映像表示システムを提供することができる。
【図面の簡単な説明】
【００１０】
【図１】実施形態の映像表示システム１を説明する図である。
【図２】実施形態の反射スクリーン１０の層構成を説明する図である。
【図３】実施形態のレンズ層１３を説明する図である。
【発明を実施するための形態】
【００１１】
以下、図面等を参照して、本発明の実施形態について説明する。なお、図１を含め、以下に示す各図は、模式的に示した図であり、各部の大きさ、形状は、理解を容易にするために、適宜誇張している。
また、本明細書中に記載する各部材の寸法等の数値及び材料名等は、実施形態としての一例であり、これに限定されるものではなく、適宜選択して使用してよい。
本明細書中において、形状や幾何学的条件を特定する用語、例えば、平行や直交等の用語については、厳密に意味するところに加え、同様の光学的機能を奏し、平行や直交と見なせる程度の誤差を有する状態も含むものとする。
【００１２】
（実施形態）
図１は、本実施形態の映像表示システム１を説明する図である。図１（ａ）は、映像表示システム１の斜視図であり、図１（ｂ）は、映像表示システム１の側面図である。
映像表示システム１は、反射スクリーン１０、映像源ＬＳ等を有している。この映像表示システム１は、映像源ＬＳから投影された映像光Ｌを反射スクリーン１０が反射して、その画面上に映像を表示する。本実施形態の映像表示システム１は、フロントプロジェクションテレビシステム等として用いることができる。
【００１３】
映像源ＬＳは、映像光Ｌを反射スクリーン１０へ投射する映像光投射装置である。
本実施形態の映像源ＬＳは、汎用の短焦点型プロジェクタである。この映像源ＬＳは、使用状態において、反射スクリーン１０の画面を正面方向（スクリーン面の法線方向）から見た場合に、反射スクリーン１０の画面左右方向において中央であって、反射スクリーン１０の画面（表示領域）よりも下方側であって観察者側となる位置に配置されている。
映像源ＬＳは、反射スクリーン１０のスクリーン面の法線方向（反射スクリーン１０の厚み方向）における反射スクリーン１０との距離が、従来の汎用プロジェクタに比べて大幅に近い位置から映像光Ｌを投射できる。即ち、この映像源ＬＳは、従来の汎用プロジェクタに比べて、反射スクリーン１０までの投射距離が短く、その映像光Ｌの反射スクリーン１０に対する入射角度が従来のものに比べて大きい。
【００１４】
なお、スクリーン面とは、この反射スクリーン１０全体として見たときにおける、反射スクリーン１０の平面方向となる面を示すものとする。本実施形態において、反射スクリーン１０のスクリーン面は、反射スクリーン１０の画面に平行である。
【００１５】
反射スクリーン１０は、映像源ＬＳが投射した映像光Ｌを観察者Ｏ側へ向けて反射し、映像を表示するスクリーンである。使用状態において、本実施形態の反射スクリーン１０の画面は、観察者Ｏ側から見て、長辺方向が画面左右方向となる略矩形状であるとする。
以下の説明中において、画面上下方向、画面左右方向、厚み方向とは、特に断りが無い場合、この反射スクリーン１０の使用状態における画面上下方向（鉛直方向）、画面左右方向（水平方向）、厚み方向（奥行き方向）であるとする。
【００１６】
反射スクリーン１０は、その背面側に、平板状の支持板５０が設けられており、この支持板５０に貼合されることにより、その平面性を維持している。本実施形態の支持板５０は、剛性が高い平板状の部材であり、例えば、アクリル樹脂やＰＣ樹脂等の樹脂製、アルミニウム等の金属性、木製等の板状の部材を用いることができる。
この支持板５０は、光透過性を有していてもよい。しかし、反射スクリーン１０の背面側から入射する外光等による映像のコントラストの低下を抑制する観点から、支持板５０は、光透過性を有しないことが好ましい。また、支持板５０は、平板状に限らず、例えば、表裏面をアルミニウム等の金属製の薄板とし、内部の芯材としてアルミニウム等の金属製の薄板により形成されたハニカム構造を備えることにより、板材全体としての軽量化を図った金属製の板材（所謂、ハニカムパネル）等を用いてもよい。このような部材を用いることにより、十分な剛性を確保しながら、支持板５０の軽量化、及び、支持板５０を備えた反射スクリーン１０の軽量化を図ることができる。
【００１７】
図２は、本実施形態の反射スクリーン１０の層構成を説明する図である。図２では、反射スクリーン１０の画面（表示領域）の幾何学的中心となる点Ａ（図１（ａ）、（ｂ）参照）を通り、画面上下方向に平行であって、スクリーン面に直交（厚み方向に平行）な断面の一部を拡大して示しており、前述の支持板５０も示している。
反射スクリーン１０は、その映像源側（観察者側）から順に、表面層１５、基材層１４、レンズ層１３、反射層１２、保護層１１等を備えている。この反射スクリーン１０は、例えば、対角８０インチや１００インチ等の大きな画面（表示領域）を有している。
以下に、反射スクリーン１０の各層について説明する。
【００１８】
基材層１４は、観察者側に、表面層１５が一体に形成され、背面側（裏面側）に、レンズ層１３が一体に形成されている。この基材層１４は、レンズ層１３を形成する基材（ベース）となる層である。
基材層１４は、光拡散層１４１と、着色層１４２とを有し、これらが一体に積層されている。本実施形態では、図２（ａ）に示すように、光拡散層１４１が背面側であり、着色層１４２が観察者側（映像源側）に位置する例を示したが、これに限らず、光拡散層１４１が観察者側に位置し、着色層１４２が背面側に位置する形態としてもよい。
【００１９】
光拡散層１４１は、光透過性を有する樹脂を母材とし、光を拡散する拡散材を含有し、光を拡散する作用を有する層である。この光拡散層１４１は、視野角を広げたり、明るさの面内均一性の向上を図ったりする機能を有する。
光拡散層１４１の母材となる樹脂としては、例えば、ＰＥＴ（ポリエチレンテレフタレート）樹脂や、ＰＣ（ポリカーボネート）樹脂、ＭＳ（メチルメタクリレート・スチレン）樹脂、ＭＢＳ（メチルメタクリレート・ブタジエン・スチレン）樹脂、アクリル系樹脂、ＴＡＣ（トリアセチルセルロース）樹脂、ＰＥＮ（ポリエチレンナフタレート）樹脂等を用いることができる。
【００２０】
この光拡散層１４１の厚さは、反射スクリーン１０の画面サイズにもよるが、約１５０〜３０００μｍ（約０．１５〜３ｍｍ）とすることが好ましい。
また、拡散材としては、アクリル系樹脂、エポキシ樹脂、シリコン系等の樹脂製の粒子や無機粒子等を用いることができ、その平均粒径が約１〜５０μｍであるものを使用することが好ましい。
【００２１】
着色層１４２は、所定の透過率とするための灰色や黒色等の染料や顔料等の着色材により着色が施された層である。この着色層１４２は、反射スクリーン１０に入射する照明光等の不要な外光や迷光を吸収し、映像のコントラストを向上させる機能を有する。
着色層１４２は、染料や顔料等の着色材を含有するＰＥＴ樹脂や、ＰＣ樹脂、ＭＳ樹脂、ＭＢＳ樹脂、アクリル系樹脂、ＴＡＣ樹脂、ＰＥＮ樹脂等により形成することが好ましい。また、着色材としては、グレー系や黒色系等の暗色系の染料や顔料等や、カーボンブラック、グラファイト、黒色酸化鉄等の金属塩等を用いることができる。
着色層１４２の厚さは、反射スクリーン１０の画面サイズにもよるが、約３０〜３０００μｍとすることが好ましい。
本実施形態の基材層１４は、光拡散層１４１と着色層１４２とを共押し出しすることによりこれらの層が一体に積層されて形成されている。
【００２２】
図３は、本実施形態のレンズ層１３を説明する図である。図３（ａ）は、レンズ層１３を背面側正面方向から観察した様子を示しており、理解を容易にするために、反射層１２や保護層１１、支持板５０は省略して示している。図３（ｂ）は、図２に示す断面の一部をさらに拡大して示している。
レンズ層１３は、基材層１４の背面側に設けられ、光透過性を有する樹脂製であり、その背面側の面に光学形状を有する光学形状層である。このレンズ層１３は、背面側の面に、図３（ａ）に示すように、点Ｃを中心として単位レンズ１３１が同心円状に複数配列されたサーキュラーフレネルレンズ形状を有している。
【００２３】
本実施形態では、単位レンズ１３１が配列されて形成されるサーキュラーフレネルレンズ形状は、反射スクリーン１０の画面を正面方向（スクリーン面の法線方向）から見た場合に、その光学的中心であるフレネルセンターである点Ｃが、反射スクリーン１０の画面左右方向の中央であって、反射スクリーン１０の画面（表示領域）の領域外の下方に位置している。
なお、本実施形態のレンズ層１３は、上述のように、背面側の面にサーキュラーフレネルレンズ形状を有する例を挙げて説明するが、背面側の面にリニアフレネルレンズ形状を有する形態としてもよい。
【００２４】
単位レンズ１３１は、図２、図３（ｂ）に示すように、スクリーン面に直交する方向（反射スクリーン１０の厚み方向）に平行であって、単位レンズ１３１の配列方向に平行な断面における断面形状が、略三角形形状である。
この単位レンズ１３１は、背面側に凸であり、レンズ面１３２と、このレンズ面１３２と対向する非レンズ面１３３とを備えている。反射スクリーン１０の使用状態において、図２及び図３（ｂ）に示す断面において、レンズ面１３２は、頂点ｔを挟んで非レンズ面１３３よりも鉛直方向上側に位置している。
【００２５】
単位レンズ１３１において、図３（ｂ）に示すように、レンズ面１３２がスクリーン面に平行な面となす角度は、αであり、非レンズ面１３３がスクリーン面に平行な面となす角度は、β（β＞α）である。
また、単位レンズ１３１の配列ピッチは、Ｐであり、単位レンズ１３１のレンズ高さ（スクリーンの厚み方向における頂点ｔから単位レンズ１３１間の谷底となる点ｖまでの寸法）は、ｈである。
理解を容易にするために、図２等では、単位レンズ１３１の配列ピッチＰ、角度α，βは、単位レンズ１３１の配列方向において一定であるように示している。しかし、本実施形態の単位レンズ１３１は、実際には、配列ピッチＰ等が一定であるが、角度αが単位レンズ１３１の配列方向においてフレネルセンターとなる点Ｃから離れるにつれて次第に大きくなる形態となっている。
【００２６】
なお、これに限らず、角度α等は、一定としてもよいし、配列ピッチＰが、単位レンズ１３１の配列方向に沿って次第に変化する形態としてもよく、映像光を投影する映像源ＬＳの画素（ピクセル）の大きさや、映像源ＬＳの投射角度（反射スクリーン１０のスクリーン面への映像光の入射角度）、反射スクリーン１０の画面サイズ、各層の屈折率等に応じて、適宜変更可能である。
【００２７】
レンズ層１３は、ウレタンアクリレートやエポキシアクリレート等の紫外線硬化型樹脂により形成されている。なお、レンズ層１３は、電子線硬化型樹脂等の他の電離放射線硬化型樹脂により形成してもよい。
本実施形態のレンズ層１３は、例えば、基材層１４の一方の面（本実施形態では、光拡散層１４１側の面）を、紫外線硬化型樹脂が充填されたサーキュラーフレネルレンズ形状を賦形する成形型に押圧し、紫外線を照射して硬化させた後に成形型から離型するといった紫外線成形法等により形成している。
そのため、このレンズ層１３を形成する紫外線硬化型樹脂等には、金型からの離型性を向上させるための離型剤となるリン酸エステル等の各種添加剤が配合されている。
【００２８】
反射層１２は、光を反射する作用を有する層である。この反射層１２は、少なくともレンズ面１３２に形成される。
本実施形態では、反射層１２は、図２や図３（ｂ）に示すように、レンズ面１３２に形成されているが、非レンズ面１３３には形成されていない形態となっている。
反射層１２は、レンズ面１３２上に、アルミニウムや銀、ニッケル等の金属を蒸着する、スパッタリングする、又は、金属箔を転写する等により形成することが好ましい。
本実施形態の反射層１２は、アルミニウム等をレンズ面１３２に蒸着することにより形成されている。
【００２９】
保護層１１は、反射層１２及びレンズ層１３の背面側に、これらを被覆するように設けられている。また、この保護層１１は、図２等に示すように、その映像源側（観察者側）の面は、反射層１２が形成された単位レンズ１３１の凹凸形状に追従しており、単位レンズ１３１間の谷部等を十分に充填する形態となっている。また、保護層１１の背面側の面は、スクリーン面に平行な面状となっており、この面が支持板５０の映像源側の面に接している。
この保護層１１は、粘着性を有しており、反射スクリーン１０を支持板５０に貼合する機能を有している。
【００３０】
また、保護層１１は、図２等に示すように、反射層１２及び非レンズ面１３３の背面側の面を被覆しており、非レンズ面１３３上に保護層１１が形成された形態となっている。
従って、保護層１１は、光を吸収する作用を有することが、観察者側から入射した外光等を吸収し、コントラストを向上させる観点等から好ましい。特に、支持板５０が光透過性を有する場合等は、背面側から入射した外光によるコントラストの低下を抑制する観点からも、光吸収作用を有することが好ましい。
【００３１】
さらに、保護層１１は、反射層１２の酸化等の劣化やこれによる剥離、反射層１２及びレンズ層１３の破損等を抑制し、反射層１２及びレンズ層１３を保護する機能を有することが好ましい。
加えて、保護層１１は、紫外線吸収作用を有することが、反射スクリーン１０の観察者側表面等から入射した紫外線によるレンズ層１３の劣化等を抑制する観点から好ましい。
本実施形態の保護層１１は、粘着性を有し、光吸収機能、及び、反射層１２等を保護するための酸化防止機能や防湿機能、紫外線吸収機能等を有している。
【００３２】
このような保護層１１は、例えば、光吸収材、酸化防止剤や防湿剤、紫外線吸収剤等の各種添加剤が添加された感圧粘着性を有する樹脂により形成されている。
保護層１１の母材となる感圧粘着性を有する樹脂としては、例えば、アクリル系やエポキシ系の重合体等を用いることができる。
光吸収材としては、例えば、黒色等の暗色系の塗料や、黒色等の暗色系の顔料や染料及び光吸収作用を有するビーズ等を用いることができる。
【００３３】
酸化防止剤としては、例えば、２，６−ジ−ｔ−ブチルパラクレゾール、４，４´メチレンビス（２，６−ジ−ブチルフェノール）、４，４´メチレンビス（６−ｔ−ブチル−ｏ−クレゾール）、フェニル−α−ナフチルアミン、フェノチアジン、Ｐ，Ｐ´−ジオクチルジフェニルアミン、Ｎ，Ｎ´ジサリチリデン−１，２−ジアミノプロパン、ベンゾトリアゾール、２（ｎ−ドデシルジチオ）ベンズイミダゾール等の一般的な酸化防止剤を用いることができる。これらの酸化防止剤は、１種類のみを用いてもよいし、複数種類を組み合わせて用いてもよい。
なお、酸化防止剤に関しては、保護層１１を形成する母材となる樹脂に対する質量比が１％以上、３％以下とすることが好ましい。１％未満となると、保護層１１による酸化防止機能が低下し、不十分となるという問題がある。また、３％を超えると、保護層１１とレンズ層１３及び反射層１２の密着性が低下するという問題がある。従って、上述の範囲内とすることが好ましい。
【００３４】
防湿剤としては、シリカゲルや、炭酸カルシウム等を用いることができる。
紫外線吸収剤としては、ベンゾトリアゾール系、ベンゾフェノン系、サリシレート系、シアノアクリルレート系、ニッケル系、トリアジン系等を用いることができる。
これらの各種添加剤が加えられた感圧粘着性を有する樹脂を、所定の粘度に調整し、反射層１２がレンズ面１３２に形成されたレンズ層１３の背面側（フレネルレンズ形状側）に塗布することにより、保護層１１は形成される。
【００３５】
ここで、上述の保護層１１を形成する樹脂は、レンズ層１３の背面側への塗布時の粘度（２０℃）が、２０００〜１００００ｃｐであることが好ましい。
樹脂の粘度が２０００ｃｐ未満であると、流動性が大きすぎ、十分な厚さに形成できないという問題がある。また、樹脂の粘度が１００００ｃｐよりも大きいと、単位レンズ１３１による凹凸形状に追従できず、単位レンズ１３１間の谷部に気泡が生じ、光吸収性が低下したり、レンズ層１３及び反射層１２と保護層１１との密着性が低下する可能性がある。従って、上記範囲内とすることが好ましい。
本実施形態のレンズ層１３の単位レンズ１３１は、レンズ高さｈが１５〜３５μｍ程度であり、上述のような範囲の粘度であれば、十分に保護層１１を形成する樹脂を、単位レンズ１３１間の谷部に充填することができる。
さらに、保護層１１は、反射スクリーン１０の厚み方向において、単位レンズ１３１間の頂点となる点ｔからその背面側表面までの寸法が、約１０〜３０μｍとすることが、支持板５０との密着性や、光吸収性等を十分発揮する観点から好ましい。
【００３６】
本実施形態の保護層１１は、粘着性を有し、この保護層１１により反射スクリーン１０は、支持板５０と貼合可能であるので、新たに、保護層１１の背面側に別層の粘着剤層等を形成する必要がなく、反射スクリーン１０の薄型化・軽量化が容易に行える。また、新たに、粘着剤層を形成する必要がないので、反射スクリーン１０の製造にかかる工数を低減でき、生産コストを低減できる。
また、保護層１１は、光吸収性を有しているので、外光を吸収して映像のコントラストを向上させることができる。
【００３７】
さらに、反射スクリーン１０は、一般的な使用環境において、空気中の湿度を吸収する場合がある。本実施形態のように、背面側に支持板を備え、これと貼合されている場合であっても、例えば、反射スクリーン１０の外周端面等から空気中の水分を吸収する場合がある。
このような水分が、レンズ層１３に到達すると、レンズ層１３を形成する樹脂に一般的に離型剤として含まれるリン酸エステル等が加水分解され、強酸であるリン酸とアルコールに分解される。このリン酸や水分等によって、金属製の反射層１２が酸化されるという問題がある。特に、反射層１２が金属の蒸着膜により形成されている場合には、酸化により蒸着膜が劣化して脆くなり、レンズ面等から剥離してしまうという問題がある。
しかし、保護層１１は、上述のように酸化防止剤や防湿剤を含有するので、このような反射層１２の酸化やこれに起因する剥離等を大幅に抑制できる。
【００３８】
加えて、保護層１１は、上述のように十分な厚みを有し、反射層１２が形成されたレンズ層１３の背面側の面を被覆しているので、レンズ層１３の単位レンズ１３１や反射層１２の外部からの衝撃等に起因する破損等を抑制することができ、かつ、支持板５０との密着性を向上させることができる。
さらにまた、保護層１１は、塗付形成時に上述のような粘度を有しているので、気泡等を生じさせることなく、単位レンズ１３１による凹凸形状に十分追従することができる。従って、レンズ層１３及び反射層１２と保護層１１との密着性を十分維持できる。
【００３９】
図２に戻って、表面層１５は、反射スクリーン１０において観察者側（映像源側）に設けられる層である。本実施形態では、表面層１５は、基材層１４の観察者側であり、反射スクリーン１０において最も観察者側となる位置に設けられている。
表面層１５には、反射防止機能や防眩機能、紫外線吸収機能、防汚機能や帯電防止機能、ハードコート機能、タッチパネル機能等、適宜必要な機能を１つ又は複数選択して設けることができる。
【００４０】
本実施形態の表面層１５は、防眩機能とハードコート機能を有している。この表面層１５は、観察者側の表面に微細な凹凸形状（マット形状）を有しており、ハードコート機能を有する電離放射線硬化型樹脂等により形成されている。この表面層１５の厚さは、約１０〜１００μｍ程度とすることができる。
この表面層１５は、基材層１４とは別層であって不図示の粘着材等により基材層１４に接合される形態としてもよいし、基材層１４の観察者側の面に、各種機能を有する樹脂等を塗布する等により直接形成される形態としてもよい。
【００４１】
本実施形態の反射スクリーン１０へ入射する映像光及び外光の様子を説明する。理解を容易にするために、表面層１５、基材層１４（着色層１４２及び光拡散層１４１の母材）、レンズ層１３の屈折率は等しいものとし、映像光Ｌ１及び外光Ｇ１，Ｇ２に対する光拡散層１４１の光拡散作用等は省略して、図２に示している。
図２に示すように、映像源ＬＳから投影された大部分の映像光Ｌ１は、反射スクリーン１０の下方から入射し、表面層１５及び基材層１４を透過してレンズ層１３の単位レンズ１３１へ入射する。
そして、映像光Ｌ１は、レンズ面１３２へ入射して反射層１２によって反射され、観察者Ｏ側へ向かって反射スクリーン１０から出射する。なお、映像光Ｌ１が反射スクリーン１０の下方から投射されており、かつ、角度β（図３（ｂ）参照）が反射スクリーン１０の画面上下方向の各点における映像光Ｌ１の入射角度よりも大きいので、映像光Ｌ１が非レンズ面１３３に直接入射することはなく、非レンズ面１３３は、映像光Ｌ１の反射には影響しない。
【００４２】
一方、照明光等の不要な外光Ｇ１，Ｇ２は、図２に示すように、主として反射スクリーン１０の上方から入射し、表面層１５及び基材層１４を透過してレンズ層１３の単位レンズ１３１へ入射する。
そして、一部の外光Ｇ１は、非レンズ面１３３へ入射して、保護層１１によって吸収される。また、一部の外光Ｇ２は、レンズ面１３２で反射して、主として反射スクリーン１０の下方側へ向かうので、観察者Ｏには直接届かず、また、届いた場合にもその光量は、映像光Ｌ１に比べて大幅に少ない。従って、反射スクリーン１０では、外光Ｇ１，Ｇ２による映像のコントラスト低下を抑制できる。
従って、本実施形態の反射スクリーン１０によれば、明室環境下であっても、コントラストが高く明るく良好な映像を表示できる。
【００４３】
以上のことから、本実施形態によれば、軽量化、薄型化でき、製造も容易であり、安価に提供でき、かつ、良好な映像を表示できる反射スクリーン１０、映像表示システム１とすることができる。
【００４４】
（変形形態）
以上説明した実施形態に限定されることなく、種々の変形や変更が可能であって、それらも本発明の範囲内である。
（１）本実施形態において、光学形状層として、その背面側の面に単位レンズ１３１が複数配列されたフレネルレンズ形状を備えるレンズ層１３を示したが、これに限らず、所望する光学性能等に応じて、形成される単位光学要素等を変更してもよい。
例えば、光学形状層は、その背面側に、単位プリズムが複数配列されたプリズム層とし、単位プリズムの斜面に反射層が形成される形態としてもよい。
また、光学形状層は、断面形状が矩形状の光透過部と断面形状が矩形状又は楔形状の光吸収部とがスクリーン面に沿って交互に配列された形態であり、反射層が、光透過部の背面側の面に形成される形態としてもよい。
【００４５】
（２）本実施形態において、光学形状層であるレンズ層１３が、エポキシアクリレート等の紫外線硬化型樹脂を用いる例を挙げたが、これに限らず、光学形状層は、その単位光学要素の形状等に応じて、例えば、熱可塑樹脂製とし、押出成形法や射出成形法により形成してもよい。
【００４６】
（３）本実施形態において、反射層１２は、蒸着法やスパッタ法等による金属の薄膜により、形成される例を示したが、これに限らず、例えば、反射層１２は、白色又は銀色系の塗料や、白色又は銀色系の顔料やビーズ等を含有する紫外線硬化型樹脂又は熱硬化性樹脂、銀やアルミニウム等の金属蒸着膜や金属箔等を粉砕した粒子や微小なフレークを含む塗料等を、スプレーコートや、ダイコート、スクリーン印刷、ワイピングによる溝充填等の各種塗布方法により塗布して硬化させることにより形成してもよい。
【００４７】
（４）本実施形態において、映像表示システム１は、短焦点型のプロジェクタである映像源ＬＳと、この映像源ＬＳから投射された映像光Ｌを反射して映像を表示する反射スクリーン１０とを備えるものとした。しかし、これに限らず、例えば、映像源ＬＳを、投射距離が長く、映像光の投射角度（即ち、スクリーンへの映像光の入射角度）が小さい従来の汎用プロジェクタとし、反射スクリーン１０をその映像源ＬＳに対応する形態としてもよい。
【００４８】
（５）本実施形態において、基材層１４は、光拡散層１４１と着色層１４２とを共押出成形することにより、これらの層が一体に積層されて形成されている例を示した。しかし、これに限らず、例えば、光拡散層１４１と着色層１４２とをそれぞれ別々に押出成形し、粘着剤層等により一体に接合して基材層１４としてもよい。
また、基材層１４を単層とし、拡散材と顔料や染料等の着色材とを共に含有する形態としてもよい。さらに、基材層１４は、光拡散層１４１と着色層１４２とを備え、着色層１４２が着色材に加えて拡散材を含有する形態としたり、光拡散層１４１が拡散材に加えて着色材を含有する形態としたりしてもよい。
【００４９】
（６）本実施形態において、単位レンズ１３１は、図２等に示す断面形状が略三角形形状である例を示したが、これに限らず、例えば、略台形形状であり、レンズ面と非レンズ面とが、スクリーン面に平行な頂面を挟んで対向する形態としてもよい。このとき、頂面は、映像光の反射に寄与しない領域に形成されることが好ましい。頂面上には、保護層１１を形成してもよいし、反射層１２を形成してもよい。
また、本実施形態において、単位レンズ１３１は、図２等に示す断面において、レンズ面１３２及び非レンズ面１３３が直線状となる例を示したが、これに限らず、この断面において、例えば、レンズ面１３２や非レンズ面１３３の一部が曲線状となっていてもよい。
さらに、単位レンズ１３１のレンズ面１３２及び非レンズ面１３３は、少なくとも一方の面が、複数の面から構成される形態としてもよい。
【００５０】
（７）本実施形態において、反射スクリーン１０は、非レンズ面１３３には反射層１２が形成されず、保護層１１で被覆される例を示したが、これに限らず、非レンズ面１３３上にも反射層１２が形成される形態としてもよい。この場合、反射層１２は、単位レンズ１３１間の谷部を充填しその背面側の面が略平面状となるように形成してもよいし、単位レンズ１３１の凹凸形状に沿って所定の厚さで形成される形態としてもよいし、十分な反射特性を有しているならば、その厚さが均一でなくともよい。
【００５１】
（８）本実施形態において、反射スクリーン１０は、その背面側に設けられた支持板５０に保護層１１により貼合されている例を示したが、これに限らず、例えば、支持板５０を備えず、反射スクリーン１０が保護層１１により壁面等に貼合される形態としてもよいし、支持板５０に貼合した状態で壁面に固定されたり、フック等の支持部材で壁面に吊り下げられたりする形態等としてもよい。
また、反射スクリーン１０は、保護層１１の背面側の面に、剥離可能な不図示の剥離紙等を積層した状態で製品として提供される形態としてもよい。この場合、使用者が、適宜支持板を選択して、反射スクリーン１０を貼合することができる。
【００５２】
（９）本実施形態において、反射スクリーン１０は、背面側から保護層１１、反射層１２、レンズ層１３、基材層１４（光拡散層１４１、着色層１４２）、表面層１５の順で構成される例を説明したが、これに限定されない。例えば、反射スクリーン１０は、基材層１４とレンズ層１３との間に、レンズ層１３の基材となる透明基材層を設けてもよいし、画面上下方向及び画面左右方向で拡散特性の異なる異方性拡散層等を備えてもよく、所望する光学特性等に合わせて、反射スクリーン１０の層構成は適宜変更することができる。
【００５３】
（１０）本実施形態において、映像源ＬＳは、鉛直方向において反射スクリーン１０より下方に位置し、映像光Ｌが反射スクリーン１０の下方から斜め上に投射される例を示したが、これに限らず、例えば、映像源ＬＳが、鉛直方向において反射スクリーン１０より上方に位置し、映像光Ｌが反射スクリーン１０の上方から斜め下に投射される形態としてもよい。このとき、反射スクリーン１０は、図２や図３等に示すレンズ層１３の上下方向を反転させ、サーキュラーフレネルレンズの光学的中心（フレネルセンター）である点Ｃが反射スクリーン１０の上方に位置する形態とすればよい。
【００５４】
なお、本実施形態及び変形形態は、適宜組み合わせて用いることもできるが、詳細な説明は省略する。また、本発明は以上説明した実施形態等によって限定されることはない。
【符号の説明】
【００５５】
１    映像表示システム
１０    反射スクリーン
１１    保護層
１２    反射層
１３    レンズ層
１４    基材層
１４１    光拡散層
１４２    着色層
１５    表面層
５０    支持板
ＬＳ    映像源
【図１】
2014160198.tif 000003
【図２】
2014160198.tif 000004
【図３】
2014160198.tif 000005